(57)【要約】【課題】折り畳んだ状態と開いた状態との間の中間状態で、平面上の被写体を接写する際、手振れなく容易に撮像画像を得る。【解決手段】表示部である上筐体部１とキー操作部である下筐体部２との平面に接する部分を、この平面に平行とし、この平面と面接触をなすように構成し安定性を維持する。この維持された中間角度で、当該変面上の被写体３０を撮像するためのカメラ４を、表示部とキー操作部との回動ユニット３に設け、シャッタに連動して表示用ライトの輝度を最大になるよう制御することで、安定した画像が得られる。被写体３０とカメラとの距離は一定に維持されるので、カメラは単焦点レンズを使用することができ、カメラの構造や焦点制御も簡単なものとなる。カメラによる画像処理を行って補正処理を行うことも簡単となり、取り込んだ画像から名刺から文字のみを抽出することができる。【選択図】      図２
2004274096.tif 000002
【特許請求の範囲】
【請求項１】
キー操作部と表示部とが、回動ユニットにより回動自在に連結された携帯端末装置であって、
所定平面上において、前記キー操作部と前記表示部とを１８０度と０度との間の中間の所定角度に維持する角度維持機構と、
前記回動ユニットに設けられて、前記角度維持機構により維持された角度で、前記平面上の被写体を撮像する撮像手段と、
を含むことを特徴とする携帯端末装置。
【請求項２】
前記角度維持機構は、前記キー操作部と前記表示部との前記平面に接する部分が、前記平面に平行に構成されていることを特徴とする請求項１記載の携帯端末装置。
【請求項３】
前記所定角度は９０度以下に設定されていることを特徴とする請求項１または２記載の携帯端末装置。
【請求項４】
前記撮像手段のシャッタ操作に連動して、前記表示部の表示用ライトの輝度制御をなすことを特徴とする請求項１〜３いずれか２記載の携帯端末装置。
【請求項５】
前記表示部は液晶であり、前記表示用ライトは前記液晶のバックライトであることを特徴とする請求項４記載の携帯端末装置。
【請求項６】
前記撮像手段は単焦点レンズを有し、前記撮像手段による画像処理を行って文字抽出をなす画像処理手段を含むことを特徴とする請求項１〜５いずれか記載の携帯端末装置。
【請求項７】
携帯電話機であることを特徴とする請求項１〜６いずれか記載の携帯端末装置。
【発明の詳細な説明】
【０００１】
【発明の属する技術分野】
本発明は携帯端末装置に関し、特に折り畳み式のカメラ付携帯電話機に関するものである。
【０００２】
【従来の技術】
携帯端末である携帯電話機は、表示部とキー操作部とが折り畳み式であり、かつデジタル式カメラによる撮像機能を有するものが多く使用されている。例えば、特許文献１に開示されているように、表示部とキー操作部とを、開状態と閉状態の中間状態（中間角度）に維持して、机等の平面上に置き、表示部の背面に取付けられたカメラにより、被写体  （携帯電話機ユーザ）を、手振れれなく安定して写すようにした構造が提案されている。
【０００３】
【特許文献１】
特開２００２−２９５４４５（図４、第２〜４頁）
【０００４】
【発明が解決しようとする課題】
上述した特許文献１に示された携帯電話機では、表示部の背面にカメラを取付け、このカメラによりユーザ本人等を写す際に、手振れなく安定した状態に携帯電話機を、机の上等に置いて、セルフタイマを用いて、ユーザが離れた位置で撮像操作を行い易くするようになっている。
【０００５】
しかしながら、机の上等の平面上に置いた被写体を、例えば名刺等を写す場合には、上記構造の携帯電話機では、実現すること困難である。その理由は、カメラが表示部の背面に取付けられているために、机上に携帯電話機を置いて、この机上の名刺を撮影することはできず、ユーザが携帯電話機を手に持って操作することが必要であり、安定性に問題があり、手振れの原因になるという欠点がある。
【０００６】
また、一般に、携帯電話機では、単焦点カメラが搭載されており、人物等の写真撮影を主目的としているために、近距離の接写撮影を行うと、焦点が合わずに鮮明な画像が得られないことになる。従って、机上の名刺等を近距離で撮影する場合、焦点が合わずに名刺等の文字が読取れる程の鮮明な画像を得ることは困難である。
【０００７】
小さな文字をデジタルカメラで取込むためには、光学式レンズを用いたオートフォーカス機能を備えることが必要であり、携帯電話機のコスト削減や小型軽量化の阻上要因となる。
【０００８】
本発明の目的は、名刺等の文字の接写機能を、コストアップや大型化することなく容易に実現可能な携帯端末装置を提供することである。
【０００９】
【課題を解決するための手段】
本発明によれば、キー操作部と表示部とが、回動ユニットにより回動自在に連結された携帯端末装置であって、所定平面上において、前記キー操作部と前記表示部とを１８０度と０度との間の中間の所定角度に維持する角度維持機構と、前記回動ユニットに設けられて、前記角度維持機構により維持された角度で、前記平面上の被写体を撮像する撮像手段とを含むことを特徴とする携帯端末装置が得られる。
【００１０】
そして、前記角度維持機構は、前記キー操作部と前記表示部との前記平面に接する部分が、前記平面に平行に構成されていることを特徴とし、また前記所定角度は９０度以下に設定されていることを特徴とする。
【００１１】
更に、前記撮像手段のシャッタ操作に連動して、前記表示部の表示用ライトの輝度制御をなすことを特徴とし、また、前記表示部は液晶であり、前記表示用ライトは前記液晶のバックライトであることを特徴とする。更に、前記撮像手段は単焦点レンズを有し、前記撮像手段による画像処理を行って文字抽出をなす画像処理手段を含むことを特徴とする。
【００１２】
本発明の作用を述べる。携帯端末装置である携帯電話機は、表示部とキー操作部とが折り畳み式であり、かつデジタル式カメラによる撮像機能を有するものが多く使用されており、かかる構成の携帯電話機において、折り畳んだ状態と開いた状態との間の中間状態（中間角度）で、平面に置いた名刺などを接写する場合、手振れなくこの中間角度に携帯電話機を維持しつつ画像を撮影することが必要になる。
【００１３】
そこで、本発明では、表示部とキー操作部との当該平面に接する部分を、この平面に平行にして、当該平面と面接触をなすように構成し安定性を維持確保するよう構成しておき、この維持された中間角度で、当該変面上の被写体を撮像するためのカメラを、表示部とキー操作部との回動ユニット部に設ける。そして、シャッタに連動して表示用ライトの輝度を最大になるよう制御することで、安定した画像が得られる。
【００１４】
このとき、被写体とカメラとの距離は一定に維持されるので、カメラは単焦点レンズを使用することができ、カメラの構造や焦点制御も簡単なものとなる。カメラによる画像処理を行って補正処理を行うことも簡単となり、取り込んだ画像から名刺などの文字のみを抽出することができることにもなる。
【００１５】
【発明の実施の形態】
以下に、本発明の実施例について図面を用いて詳細に説明する。図１は本発明の実施例の全体斜視図であり、図２は名刺等の被写体３０を撮影する場合の概略側面図であり、両図において同等部分は同一符号により示されているものとする。
【００１６】
本発明の実施例による携帯電話機は、液晶表示部（ＬＣＤ）５を有する上筐体部１と、ダイヤルキー７や四方向及び決定キー６を有するキー操作部である下筐体部２と、これ等上下筐体部１，２を互いに回動自在に連結する回転ユニット（ヒンジ部）３とを有する。この回転ユニット３により上下筐体部１，２は、図中の矢印の如く、回動自在となって、１８０度に近い開状態（通話等の状態）と０度の閉状態（折り畳み状態）とが可能になっている。
【００１７】
なお、８は受話器開口部であり、９は送話器開口部である。また、４は撮像手段としてのカメラであり、回転ユニット３に取付けられて、可動式カメラとして機能する。このカメラ４のシャッターキー１０が下筐体部２の側面に設けられているものとする。
【００１８】
上下筐体部１，２の回動ユニットと反対側の各端部には、表示面や操作面に対してある角度で面取りがなされた切欠き部１１，２１が設けられている。これ等切欠き部１１，２１は、図２に示す如く、名刺等の被写体３０をカメラ４で写す場合において上下筐体部１，２の当該被写体３０の載置面（平面）に接する部分が面接触する様に、当該載置面に平行となる様に、面取りが施されているものとする。
【００１９】
本発明の実施例による折り畳み式携帯電話機の動作について説明する。図２に示す如く、上筐体部１は、回転ユニット３を中心にして、回転動作Ａと回転動作Ｂとの２段階の開閉動作が可能である。図１に示した開状態である通話状態から、図２の回転動作Ａの様に、上筐体部１を回転させて回転ユニット３の可動式カメラ部４を、図２の如く被写体３０に対して垂直になるように向けることにより、接写可能な状態となる。
【００２０】
この接写可能状態は、図２に示した如く、上下筐体部１，２が約１８０度の開状態と、０度の閉状態との中間の所定角度であるが、好ましくは９０度またはそれ以下のほぼ鋭角になる様にするのが良い。その理由は、角度が鈍角になれば、それだけカメラと被写体との距離が小となってレンズが肉厚となり、接写以外に使用困難となってしまい、用途が限られるからである。
【００２１】
更に、回転ユニット３の部分に力を加えて回転動作Ｂのように上筐体１を回動させることにより、閉状態となるのである。
【００２２】
図２に示した接写状態において、回転ユニット３を回転動作Ａの様に回転した位置で止め、上筐体部１の端面及び下筐体部２の端面の各切欠き部１１，２１が、共に被写体載置面と平行になることによって、安定した状態に、携帯電話機が固定される。従って、この状態において、シャッターキー１０を操作することにより、被写体３０の接写撮影が可能となる。このとき、シャッターキー１０の操作に連動して、ＬＣＤ５のバックライトによって、被写体３０を照射するようにしておけば良い。なお、このときのバックライトは最大の照度を有するように制御されるのが良い。
【００２３】
こうして撮影された画像データは、画像処理用のＬＳＩを用いて鮮明な画像に補正修正され、更に画像に含まれる文字は抽出されて文字情報に変換され、名刺等に印刷されている氏名や会社名、電話番号や住所等のアドレス情報等として、メモリに保存されるようにする。なお、これ等画像処理や文字情報の抽出等の処理は、周知であるので、ここでは特に説明を省略する。
【００２４】
なお、図２に示す接写状態におけるカメラ４と被写体３０との間の距離は予め定められた一定値であるために、単焦点レンズとすることができ、画像処理も容易にかつ効良く行えるものである。
【００２５】
シャッターキー１０の位置は図１の例に限定されることなく、図２の接写状態で、ユーザが操作し易い箇所に設けることができることは勿論である。また、接写用のカメラ４の他に、上筐体部１の前面や背面にも、遠距離用や接写用のカメラを設けても良いことは明らかである。更に、携帯電話機に限らず、他の情報処理用端末にも適用できるものである。
【００２６】
【発明の効果】
本発明による効果は次の如くである。
【００２７】
第一の効果は、名刺等の比較的サイズの決まった文章をカメラにより取り込む際、被写体との角度及び距離を一定に保ち、安定した状態で撮影できるために、手ぶれを防止し鮮明に画像を撮影することが可能になることである。
【００２８】
第二の効果は、暗い場所で撮影する際、液晶のバックライトを利用することにより、フラッシュやライトが付いていない携帯電話機でも接写することができることである。
【００２９】
第三の効果は、単焦点レンズを使用した撮影範囲の決まっている携帯電話機において、名刺等の被写体を接写した際に、焦点が合わずに画像がぼやけてしまった場合でも、一定の距離で撮影することから、最適な補正値の範囲を限定できるため、効率的に文字情報のみを画像処理によって復元することができることである。
【００３０】
第四の効果は、名刺等の文字情報のみを画像でなく文字情報のみでメモリに保存することができるので、メモリの使用領域を節約することが可能になることである。
【００３１】
第五の効果は、名刺等の文字情報をアプリケーションソフトにより認識することにより、アドレス帳への氏名や住所や電話番号などを簡単に入力することができることである。
【図面の簡単な説明】
【図１】本発明の実施例の全体構成を示す斜視図である。
【図２】本発明の実施例におけるカメラ使用状態を示す側面図である。
【符号の説明】
１          上筐体
２          下筐体
３          回転ユニット
４          可動式カメラ
５          ＬＣＤ
６          四方向キー及び決定キー
７          ダイヤルキー
８          受信器開口部
９          送話器開口部
１０        シャッターキー
１１，１２  切欠部
３０        被写体
【図１】
2004274096.tif 000003
【図２】
2004274096.tif 000004